(57)【要約】      （修正有）【課題】印刷装置とカッティング装置とを組み合わせてメディアの印刷／カッティングを行うときに、印刷可能幅とカッティング可能幅とが異なる等の所定条件が成立する場合でも、印刷画像の品質の低下を生じさせずに、印刷及びカッティングを可能とする。【解決手段】データ処理装置は、所定条件が成立するかを判定する条件判定部１１１を有する制御部１１０と、印刷画像データ生成部１０９及びカッティング用データを生成するカッティング用データ生成部１１８を有するデータ処理部１０８と、を有する。印刷画像データ生成部１０９は、所定条件が成立するときは、印刷時に、メディアの傾き補正に関係する帯状マークの位置を変更する。カッティング用データ生成部１１８は、カッティング時にカッティング用データに含まれる座標軸を９０度回転させてカッティング用データを生成する。【選択図】図４
2020197969.tif 000002
【特許請求の範囲】
【請求項１】
印刷装置とカッティング装置とを組み合わせてメディアの印刷／カッティングを行うときに使用されると共に、印刷処理の際には、前記印刷装置に対して、印刷データにクロップマークを付与してなる印刷用画像データを送信し、カッティング処理の際には、カッティング装置に対して、カッティングされる領域を規定する座標データ及び座標軸の情報を含むカッティング用データを送信するデータ処理装置であって、
前記印刷装置の印刷可能幅をＷｐとし、印刷画像の幅をＰｗｉｄｔｈとし、前記カッティング装置のカッティング可能幅をＷｃとし、前記印刷画像の長さ（高さ）をＰｌｅｎｇｔｈとする場合に、
前記印刷装置及び前記カッティング装置の主走査方向に関して、Ｗｃ＜Ｐｗｉｄｔｈ＜Ｗｐという第１の条件が成立し、かつ、副走査方向に関して、Ｐｌｅｎｇｔｈ＜Ｗｃという第２の条件が成立するか否かを判定する条件判定部を有する制御部と、
前記印刷画像データを生成する印刷画像データ生成部と、前記カッティング用データを生成するカッティング用データ生成部と、を有するデータ処理部と、
を有し、
印刷処理に際して、前記印刷画像データ生成部は、
前記クロックマークとして、前記カッティング装置における前記メディアの傾き補正に関係する帯状マークが含まれ、かつ、前記第１、第２の条件が成立せず、通常処理が実行される場合には、前記帯状マークを、前記印刷データに対応する印刷データ領域の外側の、前記副走査方向における下流側の余白領域の第１の位置に付与し、
前記第１、第２の条件が成立して特別処理が実行される場合は、前記帯状マークを、前記印刷データ領域の外側の、前記主走査方向の側の余白領域の、前記第１の位置に対応する第２の位置に付与し、
カッティング処理に際して、前記カッティング用データ生成部は、
前記カッティング用データを生成するに際し、前記第１、第２の条件が成立して前記特別処理が実行される場合にのみ、前記カッティング用データに含まれる前記座標軸を９０度回転させて生成する、データ処理装置。
【請求項２】
前記印刷データ領域は長方形の外形を有し、前記クロップマークには、前記帯状マークの他に、前記長方形の４つの角部のうちの少なくとも３つに対応付けられて、各角部の近傍にて付与される、第１、第２、第３の角部マークが含まれ、
前記帯状マークが付与される前記第１の位置は、前記主走査方向に沿って配置されている前記第１、第２の角部マークの間、かつ、前記第１の角部マークの近傍の位置であり、
前記帯状マークが付与される前記第２の位置は、前記副走査方向に沿って配置されている前記第１、第３の角部マークの間、かつ、前記第３の角部マークの近傍の位置である、請求項１に記載のデータ処理装置。
【請求項３】
前記制御部は、前記条件判定部による判定の前に、ユーザーによる情報入力によって、又は、印刷装置からの情報収集によって、使用されるカッティング装置の情報を取得する、請求項１又は２に記載のデータ処理装置。
【請求項４】
コンピュータを、請求項１乃至３の何れか１項に記載のデータ処理装置として機能させるデータ処理プログラム。
【発明の詳細な説明】
【技術分野】
【０００１】
本発明は、データ処理装置（例えば、印刷装置とカッティング装置とを組み合わせてメディアの印刷／カッティングを行うときに使用されると共に、印刷データへのクロップマーク付与処理、カッティング用データの生成処理等を実行するＲＩＰプログラムによるデータ処理装置）、及びデータ処理プログラム等に関する。
【背景技術】
【０００２】
特許文献１には、カッティングプロッタと呼ばれるカッティング専用機を用いたカッティングについて記載されている。
【０００３】
また、特許文献２には、メディアに印刷された画像に対してずれのないカッティングを行うために、位置決め等に用いられるクロップマークを付与すること、及びクロップマークとして、円形状マークと帯状（黒帯）マークを併用することが記載されている。また、この特許文献２では、カッティング処理に際し、メディアの傾きに対する補正を行うことが記載され、さらに、その傾きの補正に、上記の帯状（黒帯）マークが関係することが記載されている。
【０００４】
印刷専用機とカッティング専用機とを組み合わせてメディアの印刷／カッティングを行うシステムでは、印刷処理の際には、コンピュータ等の制御装置から、印刷専用機に対して、印刷画像データ（クロップマーク付き）を送る必要があり、また、カッティング専用機に対しては、カッティング用データ（カッティングされる領域を規定する座標データ及び座標軸の情報等）を送る必要がある。
【０００５】
ここで、上記の各データの生成や送信を、個別のアプリケーションソフトで処理すると面倒であるため、各処理を統括的に処理する（言い換えれば、１つの統括的な制御プログラムにより処理する）ことが好ましい。
【０００６】
なお、インクジェット印刷装置において、印刷ヘッドの走査方向（主走査方向）に筋状のムラ（一般に、バンディングと称される）が生じる場合がある点は、例えば、特許文献３に記載されている。バンディングに関しては、メディアを所定方向にセットして画像を印刷した場合と、メディアを９０度回転させて同じ画像を印刷した場合とで、バンディングの程度に差が生じる場合があることが、経験上、知られている。例えば、画像の色味や、形状等によっては、メディアの９０度回転によって横スジ、色むら等が目立ってしまう場合がある。
【先行技術文献】
【特許文献】
【０００７】
【特許文献１】特開２０００−１０８０８５号公報
【特許文献２】特開２００１−２６０４４３号公報
【特許文献３】特開２０１２−１７６５６４号公報
【発明の概要】
【発明が解決しようとする課題】
【０００８】
以下、本発明者によって明らかとされた課題について説明する。ここでは、印刷装置（例えば印刷専用機）でメディアに印刷し、次に、そのメディアを、別のカッティング装置（例えばカッティング専用機）にセットして、所定箇所をカッティングする場合を想定する。また、印刷画像の外形が長方形であるとする。
【０００９】
ここで、機械的構造等に起因して、印刷可能幅と、カッティング可能幅とが異なる場合がある。印刷しようとする「画像の幅」が、印刷装置の「印刷可能幅」より小さいが、カッティング装置の「カッティング可能幅」より大きい、という場合もあり得る。
【００１０】
一例として、印刷装置の印刷可能幅が６４ｉｎｃｈ（約１６００ｍｍ）であり、カッティング装置のカッティング可能幅が４２ｉｎｃｈ（約１０００ｍｍ）であり、これに対して、処理対象の画像が、幅１２００ｍｍ、かつ高さ８００ｍｍである場合が、上記の場合に相当する。
【００１１】
このとき、長方形の画像を、「横長」で印刷（言い換えれば、画像の長手方向が、印刷装置の主走査方向に沿うようにメディアをセットして印刷）すると、バンディングが目立たないものとする。
【００１２】
長方形の画像を「横長」に印刷し、カッティング装置には、メディアを９０度回転させて「縦長」にセットしてカッティングを行うようにすれば、上記の場合でも、理論上は、バンディングが目立たない印刷と、カッティングとを両立させることができるように思われる。しかし、現実には、このような印刷／カッティングができない場合がある。
【００１３】
その場合というのは、クロップマークに、帯状マーク（メディアの傾きに対応する画像補正に関係する）が含まれている場合である。
【００１４】
この帯状マークは、主走査方向に直交する副走査方向（メディアの搬送方向）における下流側（手前側）に必ず形成されるという形成規則があり、これが上記の、メディアを９０度回転させてカッティングを行うことの阻害要因となる。
【００１５】
長方形の画像を「横長」に印刷した場合には、横長の画像領域の下側（副走査方向の下流側、あるいは手前側）に帯状マークが付与される。
【００１６】
カッティング装置にメディアをセットするときも、その帯状マークが手前側となるようにセットしないと、カッティング装置のクロップマークセンサによる読み取りが不能となってしまう。よって、横長で印刷したときは、横長のまま、カッティング装置にセットしなければならない。
【００１７】
よって、この場合は、横長で印刷して、メディアを９０度回転させて縦長でカッティングを行う、ということはできない。
【００１８】
従って、この場合は、縦長で印刷し（こうすれば、縦長の領域の下側（手前側）に帯状マークが付与される）、そして、縦長のまま、メディアをカッティング装置にセットしてカッティングする、ということになる。
【００１９】
但し、上述のとおり、「横長」で印刷したときにバンディングが目立ちにくいのであり、９０度回転された「縦長」で印刷したときは、ある程度の画像品質の低下はやむを得ないことになる。
【００２０】
このように、印刷可能幅とカッティング可能幅が異なる場合において、所望の方向にメディアをセットして、帯状マークを含む画像を印刷し、次に、同様の方向（印刷時の方向と同じ方向）にメディアをカッティング装置にセットしてカットすることができない場合があり、この場合は、印刷処理の段階から、メディアを、所望の方向から９０度回転させて印刷を行わざるを得ないことになり、印刷画像の品質の低下はやむを得ないものとなる。言い換えれば、上記のような場合において、現状では、印刷画像の品質の低下を招かずに、カッティングを行うことはできない。
【００２１】
なお、元画像を小さくして、使用するメディアのサイズを縮小すれば、カッティングは可能にはなるが、この場合は、元画像の有する高精細の情報が損なわれるおそれがあり、好ましい方法とはいえない。
【００２２】
本発明の１つの目的は、印刷装置とカッティング装置とを組み合わせてメディアの印刷及びカッティングを行うときに、印刷可能幅とカッティング可能幅が異なることや、メディアの傾き補正に関係する帯状マークの位置の制約にかかわらず、印刷画像の品質の低下を生じさせずに、印刷及びカッティングを可能とするデータ処理装置、及びそれを実現するデータ処理プログラムを提供することである。
【００２３】
本発明の他の目的は、以下に例示する態様及び最良の実施形態、並びに添付の図面を参照することによって、当業者に明らかになるであろう。
【課題を解決するための手段】
【００２４】
以下に、本発明の概要を容易に理解するために、本発明に従う態様を例示する。
本発明の一態様は、印刷装置とカッティング装置とを組み合わせてメディアの印刷／カッティングを行うときに使用されると共に、印刷処理の際には、前記印刷装置に対して、印刷データにクロップマークを付与してなる印刷用画像データを送信し、カッティング処理の際には、カッティング装置に対して、カッティングされる領域を規定する座標データ及び座標軸の情報を含むカッティング用データを送信するデータ処理装置であって、前記印刷装置の印刷可能幅をＷｐとし、印刷画像の幅をＰｗｉｄｔｈとし、前記カッティング装置のカッティング可能幅をＷｃとし、前記印刷画像の長さ（高さ）をＰｌｅｎｇｔｈとする場合に、前記印刷装置及び前記カッティング装置の主走査方向に関して、Ｗｃ＜Ｐｗｉｄｔｈ＜Ｗｐという第１の条件が成立し、かつ、副走査方向に関して、Ｐｌｅｎｇｔｈ＜Ｗｃという第２の条件が成立するか否かを判定する条件判定部を有する制御部と、前記印刷画像データを生成する印刷画像データ生成部と、前記カッティング用データを生成するカッティング用データ生成部と、を有するデータ処理部と、を有し、印刷処理に際して、前記印刷画像データ生成部は、前記クロックマークとして、前記カッティング装置における前記メディアの傾き補正に関係する帯状マークが含まれ、かつ、前記第１、第２の条件が成立せず、通常処理が実行される場合には、前記帯状マークを、前記印刷データに対応する印刷データ領域の外側の、前記副走査方向における下流側の余白領域の第１の位置に付与し、前記第１、第２の条件が成立して特別処理が実行される場合は、前記帯状マークを、前記印刷データ領域の外側の、前記主走査方向の側の余白領域の、前記第１の位置に対応する第２の位置に付与し、カッティング処理に際して、前記カッティング用データ生成部は、前記カッティング用データを生成するに際し、前記第１、第２の条件が成立して前記特別処理が実行される場合にのみ、前記カッティング用データに含まれる前記座標軸を９０度回転させて生成する。
【００２５】
本態様によれば、印刷画像（印刷データ領域と、その外側のクロップマーク形成領域とを含む領域であり、実質的にメディアの外形とみることもできる）の幅が、印刷可能幅よりも小さく、カッティング可能幅よりも大きい場合に、クロップマークとしての帯状マークの印刷位置を変えて印刷することができる。言い換えれば、バンディングが目立たない方向に印刷するが、このとき、帯状クロップマークについては、メディアをカッティング装置に９０度回転してセットすることを前提とした位置に形成（付与）する、という柔軟なクロップマークの付与処理が実現される。
【００２６】
従って、例えば、印刷専用機の印刷可能サイズとカッティング専用機のカッティング可能サイズとが異なる状況で、印刷画像（メディア）を回転させなければ印刷／カッティングの双方を実施できないようなサイズの画像を出力したい場合においても、本来印刷させたい画像の向きのまま印刷し、かつ、帯状マークを利用した位置補正（傾き補正）を伴うカッティングを実施することができる。よって、ユーザーの利便性が向上する。
【００２７】
当業者は、例示した本発明に従う態様が、本発明の精神を逸脱することなく、さらに変更され得ることを容易に理解できるであろう。
【図面の簡単な説明】
【００２８】
【図１】図１（Ａ）は、印刷装置とカッティング装置とを組み合わせてメディアの印刷／カッティングを行うシステムの構成例を示す図、図１（Ｂ）は、本発明のデータ処理装置における条件判定の内容を説明するための図である。
【図２】図２（Ａ）〜図２（Ｃ）は、本発明を使用しない、比較例における印刷及びカッティングの例を示す図である。
【図３】図３（Ａ）〜図３（Ｉ）は、本発明の実施形態における、印刷及びカッティング処理の例を示す図である。
【図４】図４（Ａ）は、本発明のデータ処理装置の構成例を示す図、図４（Ｂ）は、使用するカッティング装置（カット機）の機種情報をユーザーの入力によって取得する場合の、表示部に示される画面の例を示す図である。
【図５】図５は、通常処理とするか、特別処理とするかを判定する判定処理の手順の一例を示すフローチャートである。
【図６】図６は、印刷時における処理の手順の一例を示すフローチャートである。
【図７】図７は、カッティング時における処理の手順の一例を示すフローチャートである。
【発明を実施するための形態】
【００２９】
以下に説明する最良の実施形態は、本発明を容易に理解するために用いられている。従って、当業者は、本発明が、以下に説明される実施形態によって不当に限定されないことを留意すべきである。
【００３０】
図１（Ａ）は、印刷装置とカッティング装置とを組み合わせてメディアの印刷／カッティングを行うシステムの構成例を示す図、図１（Ｂ）は、本発明のデータ処理装置における条件判定の内容を説明するための図である。
【００３１】
図１（Ａ）の印刷／カッティングを行うシステムは、一例として、２つのフォルダ４２及び４４と、フォルダ４２及び４４に接続されるホストコンピュータ１０と、ホストコンピュータ１０に接続される液晶ディスプレイ等からなる表示部２０と、操作部（入力部）としてのキーボード３２及びマウス３４と、ホストコンピュータ１０に、通信線Ｌ１を介して接続される印刷装置（プリンタ）５０と、ホストコンピュータ１０に、通信線Ｌ２を介して接続されるカッティング装置（切断装置、カット装置、あるいはカッター）６０とを有している。
【００３２】
印刷装置５０は、一例として、カッティング機能を有しない印刷専用機である。具体的には、中型あるいは大型のインクジェットプリンタを使用してもよい。
【００３３】
また、カッティング装置６０は、一例として、印刷機能を有さないカッティング専用機である。具体的には、カッティング専用機として、近年普及してきた、多様な素材に対応でき、幅広いオリジナルグッズ等を製作できる小型のカッティング専用機（例えば、いわゆるデスクトップ型のもの）を使用してもよい。
【００３４】
図１（Ａ）では、カッティング装置６０によって、メディア７０に、横向きのＮの字の形状の切り抜き（カッティング）がなされており、そのカッティング対象の領域（カットの前後を特に問わない）を、カッティング領域７２としている。
【００３５】
ホストコンピュータ１０は、例えば、ロードされるソフトウエア（印刷／カッティング用のデータ処理プログラム）に従って動作することで、印刷／カッティング用のデータ処理装置として機能する。
【００３６】
データ処理装置（図１では不図示であるが、図４において符号１０１を付して明記されている）は、後述するが、例えば、ベクトル画像をビットマップ画像（ラスター画像）に変換するＲＩＰ（Ｒａｓｔｅｒ Ｉｍａｇｅ Ｐｒｏｃｅｓｓｏｒ）部（広義には、印刷データ生成部）を備えることができる。この場合は、データ処理装置１０１は、ＲＩＰ部、ＲＩＰ装置、又はＲＩＰサーバ等と称することもできる。
【００３７】
データ処理装置１０１は、例えば、複数の印刷データ（ＥＰＳ形式等のデジタルデータ、ラスター形式のデジタルデータ、ネイティブ形式のデジタルデータを含む）を取り扱うことができる。印刷処理装置１０のユーザーは、ＥＰＳ形式の、一又は複数のデジタルデータを、２つのフォルダ４２及び４４に入力し、操作部３２（キーボード及びマウス）を用いて、フォルダ単位で、ＥＰＳ形式のデジタルデータの各々に印刷条件及びカッティング条件等を設定することができる。
【００３８】
なお、表示部２０には、使用する印刷装置及びカッティング装置の機種等の情報を入力するための画面が表示されてもよい（この点は後述する）。ユーザーは、種々のジョブリストを表示部２０に表示し、優先順位を付与して処理を進めることもできる。
【００３９】
図１（Ａ）では、ホストコンピュータ１００に、印刷装置５０とカッティング装置６０が同時に接続されている状態が示されているが、これに限定されるものではなく、接続時期を異ならせて、まず、印刷装置５０をホストコンピュータ１００に接続して印刷処理を実行し、次に、カッティング装置６０をホストコンピュータ１００に接続してカッティング処理を実行する構成であってもよい。
【００４０】
また、図１（Ａ）の例では、ホストコンピュータ１００と印刷装置（インクジェットプリンタ）５０とが別体となっているが、両者が一体化されて一つの装置として形成されていてもよい。なお、通信線（通信手段）Ｌ１、Ｌ２としては、ＬＡＮ、ＢＵＳ、ＵＳＢ等の有線の通信手段を用いることができるが、その種類は問わない。なお、通信手段は無線通信手段であってもよい。
【００４１】
また、印刷装置５０、カッティング装置６０は、共に、ガイドレール（不図示）に可動に支持されて、「主走査方向」に方向に走査されるキャリッジ（不図示）を有し、印刷装置５０では、そのキャリッジに印刷ヘッド（インクヘッド）が搭載され、カッティング装置６０では、そのキャリッジにカッティングヘッド（カッター）が搭載されている。ここで、「主走査方向」は、「走査方向」とも称される。印刷装置５０、６０を正面図で見たとき、キャリッジは左右方向に動くことから、この場合は、「左右方向」が「主走査方向（走査方向）」である。また、左右方向を、メディアの「幅方向」と称することもあり、幅方向は、主走査方向（走査方向）と一致するものとする。
【００４２】
また、印刷装置５０、カッティング装置６０は、共に、ピンチローラ（不図示）等の搬送系を用いて、メディア７０を、主走査方向（走査方向）に直交する、「副走査方向（搬送方向）」に搬送（送り出す）ことができる。印刷装置５０、６０を正面図で見たとき、メディアは、紙面上で主走査方向に垂直な方向に沿って、奥側から手前側へと搬送されることから、この場合は「紙面上で主走査方向に直交する方向」が「副走査方向（搬送方向）」である。また、メディア７０は紙面上で主走査方向に直交する方向に沿って奥側から手前側へと搬送されるが、この場合の奥側（言い換えれば、メディア７０の送り出し元の側）が、「副走査方向（搬送方向）上流側」であり、手前側（言い換えれば、メディア７０の送り出し先の側）が「副走査方向（搬送方向）下流側」である。
【００４３】
また、メディア７０の材質としては、普通紙などの紙類であってもよく、ポリ塩化ビニル、ポリエステル等の樹脂類であってもよく、アルミニウム材、鉄材等の金属類であってもよく、様々な材料で構成可能である。
【００４４】
次に、図１（Ｂ）を参照する。後述するが、本発明のデータ処理装置１０１では、所定条件が成立する場合に、通常処理とは異なる特別の処理（位置合わせ用のクロップマークの１つである帯状マークの位置を変更する処理を含むものである）を実行する。図１（Ｂ）は、上記の「所定条件」について例示している。
【００４５】
ここでは、印刷装置５０の印刷可能幅（印刷可能な最大幅）をＷｐとし、印刷画像の幅（メディア７０の幅とみることもできる）をＰｗｉｄｔｈとし、カッティング装置６０のカッティング可能幅（カッティング可能な最大幅）をＷｃとし、印刷画像の長さ（ロール状ではないメディア（単体メディア）の高さ、とみることもできる）をＰｌｅｎｇｔｈとする場合に、印刷装置５０及びカッティング装置６０の主走査方向に関して、Ｗｃ＜Ｐｗｉｄｔｈ＜Ｗｐという第１の条件が成立し、かつ、副走査方向に関して、Ｐｌｅｎｇｔｈ＜Ｗｃという第２の条件が成立する場合に、上記の所定条件を満足するものとみなす。このとき、カッティングができない場合が生じ得るが、メディア７０の９０度の回転によって救済できるとみることもでき、この点に着目して、上記の特別の処理を実施するものである。
【００４６】
以下、具体的に説明する。図２を参照する。図２（Ａ）〜図２（Ｃ）は、本発明を使用しない、比較例における印刷及びカッティングの例を示す図である。図２において、図１と共通する部分には同じ符号を付している（この点は、他の図においても同様である）。なお、図２（Ａ）〜図２（Ｃ）に示される内容は、本発明前に、本発明者によってなされた検討により明らかとされたものであり、公知技術ではない。
【００４７】
図２（Ａ）において、上記の第１、第２の条件（図１（Ｂ））を満たす印刷／カッティング画像が例示されている。
【００４８】
印刷データ領域７４は、例えば、色彩（例えばグラデーション等の色味）、種々の模様等が施される領域で、印刷されるべき本来の画像データに対応する領域である。印刷データ領域７４の外形形状は矩形（四角形）としている。なお、以下の説明では、「領域」という用語を省いて、単に「印刷データ７４」と記載する場合もある。
【００４９】
この印刷データ領域７４の内部に、カッティング領域７２が設けられる。カッティング領域７２は、Ｎの字に切り抜かれる（カッティングがされる）ことが予定される領域であり、カッティング対象領域とも称することができる。
【００５０】
また、印刷画像（あるいは印刷画像領域、以下、主として印刷画像と称する）７６は、矩形（四角形）の外枠で示される部分であり、印刷データ領域７４と、その周囲の余白領域（クロップマークとしての、角部マークＧ１ａ〜Ｇ１ｄ及び帯状マークＭが設けられる領域であり、マージン領域と称する場合もある）７５とを合わせた領域である。
【００５１】
また、図２（Ａ）の下側に示される、双方向の矢印の方向（主走査方向）が、好ましい印刷ヘッドの移動方向であり、この方向における印刷ヘッドの移動（走査）によって画像を印刷すると、印刷データ領域７４のバンディングが抑制されるものとする。
【００５２】
図２（Ｂ）に示されるように、印刷装置５０によって印刷処理がなされると、印刷データ領域７４の周囲の余白領域（マージン領域）７５には、印刷データ領域７４の外形である長方形の４つの角部に対応して、その近傍において、４つの角部マーク（クロップマークの一種であり、一例として円形のマークとする）Ｇ１ａ〜Ｇ１ｄが設けられ、また、１つの帯状（長方形）マークＭが設けられる。
【００５３】
角部マークＧ１ａ〜Ｇ１ｄは、カッティング装置６０（の制御部）が、メディア７０上における印刷データ領域７４の位置を検出するのに役立つマークである。また、帯状マークＭは、メディア７０が、副走査方向に対して傾いて搬送されたときに、カッティング装置６０（の制御部）が、その傾きの程度を検出する処理に関係するマークである。
【００５４】
なお、角部マークＧ１ａ〜Ｇ１ｄは、長方形の外形を有する印刷データ領域７４の４つの角部に対して設けられるのが好ましいが、場合によっては、１つ省略されて、３つとなる場合もあり得る。従って、少なくとも３つの角部に対応して設けられるマークであるということができる。図２（Ｂ）において、角部マークＧ１ａ〜Ｇ１ｄの各々を、第１〜第４の角部マークと称する場合、例えば、第４の角部マークＧ１ｄは省略される場合が有り得る。
【００５５】
また、図２（Ｂ）において、帯状マークＭは、その長手方向が、主走査方向に沿うように配置される。また、帯状マークＭは、副走査方向（搬送方向）下流側の余白領域（図２（Ｂ）の下側の余白領域）において配置される、第１、第２の角部マークＧ１ａ、Ｇ１ｂの間において、かつ、第１の角部マークＧ１ａの近傍において付与（形成）されている。なお、帯状マークＭは、第１、第２の角部マークＧ１ａ、Ｇ１ｂの各中心を通る一点鎖線の線分上に配置されるのが好ましい。
【００５６】
第１の角部マークＧ１ａ（帯状マークＭが近傍に配置されている）が、カッティング装置６０におけるカッティングヘッドの位置決め処理の基準となる。一例であるが、まず、第１の角部マークＧ１ａを検出してその中心を求め、次に、近傍に配置されている帯状マークＭを検出してその中心を求め、各中心を結ぶ一点鎖線の線分を求め、その線分上にある第２の角部マークＧ１ｂを求める、というような処理が実施される。一点鎖線で示される線分が、主走査方向からどれだけずれているかを検出することで、メディア７０の傾きを算出することができる。よって、画像（具体的には画像の座標軸）を、その傾きに合わせて傾斜させることで、傾き補正を行うことができる。
【００５７】
メディア７０が、カッティング装置６０にセットされた状態では、クロップマーク検出用センサを内蔵するキャリッジは、副走査方向の下流側に位置するため、上記の処理を効率的に行うためには、帯状マークＭは、下流側の右端の第１の角部マークＧ１ａ（あるいは、左端の第２の角部マークＧ１ｂ）の近傍に設けておく（配置しておく）ことが必要となる。よって、帯状マークＭは、常に、副走査方向（搬送方向）下流側の余白（マージン）領域にて配置される、という規則が課されることになる。
【００５８】
従って、印刷装置５０によって、図２（Ｂ）のような印刷がなされた場合、カッティング装置６０にセットする際には、帯状マークＭが副搬送方向下流側になるように（言い換えれば、手前側になるように）してセットすることが必要となる。しかし、カッティング装置６０のカッティング可能幅Ｗｃは、印刷画像幅Ｐｗｉｄｔｈよりも小さいため、カッティングはできない。
【００５９】
この場合は、図２（Ｃ）のように、印刷画像（印刷画像領域）７６を、図２（Ｂ）の状態を基準として９０度回転させて印刷を行うしかない。こうすれば、帯状マークＭは、印刷画像（印刷画像領域）７６の外形である長方形の、短手方向に沿って形成されることになり、その短手方向の長さ（印刷画像の長さＰｌｅｎｇｔｈ）は、カッティング可能幅Ｗｃよりも小さいことから、カッティングが可能となる。
【００６０】
しかし、この場合は、印刷時において、好ましくない方向に印刷ヘッドが走査されて印刷が実行されることになる。例えば、画像の色味や、形状等によっては、メディア７０の９０度の回転によって、横スジ、色むら等が目立ってしまう場合もある。
【００６１】
このように、印刷装置とカッティング装置とが異なる場合において、上記の所定条件（第１条件、第２条件）が成立するときは、印刷画像の画質と、カッティングを可能とすることを両立できないという課題が生じる。このような課題が、本発明者の検討によって明らかとされた。
【００６２】
次に、その対策について説明する。図３を参照する。図３（Ａ）〜図３（Ｉ）は、本発明の実施形態における、印刷及びカッティング処理の例を示す図である。
【００６３】
図３（Ａ）は、上記の第１、第２の条件（図１（Ｂ））を満たす印刷／カッティング画像を示しており、これは、図２（Ａ）と同じである。
【００６４】
印刷装置５０とカッティング装置６０とを組み合わせてメディア７０の印刷／カッティングを行うシステムにおいて、データ処理装置（図４の符号１０１）は、印刷処理の際には、印刷装置５０に対して、本来の印刷用データである印刷データ７４にクロップマーク（少なくとも３つの角部マークＧ１ａ〜Ｇ１ｃ、及び傾き補正に関係する帯状マークＭ）を付与してなる印刷用画像データ（印刷画像７６全体の画像データ）を送信し、カッティング処理の際には、カッティング装置６０に対して、カッティングされる領域（カッティング領域）７２を規定する座標データ及び座標軸の情報を含むカッティング用データを送信する。
【００６５】
データ処理装置１０１（例えばＲＩＰソフトウエアを含む）は、まず、原画像のラスタライズ等を行って、本来の印刷用データである印刷データ７４を生成し（図３（Ｂ））、次に、クロップマーク（少なくとも３つの角部マークＧ１ａ〜Ｇ１ｃ、及び傾き補正に関係する帯状マークＭ）を付与してなる印刷用画像データ（印刷画像７６全体の画像データ）を生成する（図３（Ｃ））。
【００６６】
ここで、図３（Ｃ）におけるクロップマークに注目する。４つの角部マークＧ１ａ〜Ｇ１ｄが、印刷データ領域７４の外形である四角形の４つの角部に対応して設けられているのは、先に説明した図２（Ｂ）と同じである。但し、メディアの傾き補正に関係する帯状マーク(黒帯)Ｍの位置が異なっている。
【００６７】
本発明を適用しない場合（言い換えれば、通常処理が行われる場合)は、帯状マークＭは、印刷データに対応する印刷データ領域７４の外側に存在する余白領域７５の内の、「副走査方向」における下流側（紙面の下側に相当する）の余白領域７５Ｕ（Ｕは下側を意味する添字である）の「第１の位置Ｚ１」に付与されていた。理解の容易のために、第１の位置Ｚ１は、図３（Ｃ）において明記されている。
【００６８】
より具体的には、「第１の位置Ｚ１」は、主走査方向に沿って配置されている第１、第２の角部マークＧ１ａ、Ｇ１ｂの間、かつ、第１の角部マークＧ１ａの近傍の位置（第１の角部マークＧ１ａの左横の位置）ということができる。
【００６９】
なお、帯状マークＭは、第１の角部マークＧ１ａ（右端のマーク）の近傍ではなく、第２の角部マークＧ１ｂ（左端のマーク）の近傍に位置してもよく、この場合は、「第１の位置Ｚ１」は、第２の角部マークＧ１ｂの右横の位置となる。この場合は、角部マークＧ１ｂ、Ｇ１ａ、Ｇ１ｄを、第１、第２、第３の角部マークとすれば、上記の説明の例と等価となる。この点は、以下の説明における「第２の位置」についても同様である。
【００７０】
一方、本発明の実施形態である特別の処理が実行される場合は、帯状マーク（図３（Ｃ）の黒帯）Ｍは、印刷データに対応する印刷データ領域７４の外側に存在する余白領域７５の内の、「主走査方向」の側の余白領域７５Ｒ（Ｒは右側を示す添字である）の、第１の位置Ｚ１に対応する第２の位置Ｚ２に付与される。言い換えれば、帯状マーク（黒帯）Ｍが付け替えられて、その位置が変更されている。
【００７１】
具体的には、変更された「第２の位置Ｚ２」は、副走査方向に沿って配置されている第１、第３の角部マークＧ１ａ、Ｇ１ｃの間、かつ、第３の角部マークＧ１ｃの近傍（下側）の位置である。印刷が完了されたメディア７０を９０度回転させた図が図３（Ｇ）であるが、この図３（Ｇ）は、先に説明した図２（Ｃ）と同じである。帯状マークＭは、第１の位置Ｚ１から９０度回転されて第２の位置Ｚ２へと変更された、とみることも可能である。
【００７２】
従来は、帯状マークＭは、「副走査方向の下流側の第１の位置に付与される」と一律に規定されていたが、本発明の実施形態では、所定条件を満たす場合は、例外的に、「主走査方向の側の、第１の位置に対応する第２の位置にも付与可能」となった、ということである。このような柔軟なクロップマーク（帯状マーク）の付与を行うことにより、印刷後において、メディア７０を９０度回転させて、適正に、カッティング装置６０にセットすることが可能となる。
【００７３】
ここで、図３（Ｄ）を参照する。データ処理装置１０１は、印刷データの生成と共に、カッティング用データの生成を行うこともできる（但し、これに限定されるものではない）。カッティング用データには、カッティング領域７２を規定する「座標データ」及び「座標軸」の情報を含めることができる。生成したカッティング用データは、印刷画像データとは区別されて記憶され、例えば、カッティングの際の適切なタイミングで、カッティング装置６０に送られる。
【００７４】
なお、カッティング用データにおける「座標データ」は、例えば、メディア（媒体）７０を切断するにあたっての所望の形状を表す情報であり、具体的には、形状の各頂点の座標位置と、隣り合う頂点までの移動位置に関する情報とを有するデータである。また、「座標軸」は、座標データを取り扱うデータ平面における座標系を規定する情報（例えばベクトル情報）である。
【００７５】
上記の第１、第２の条件が満たされて、特別処理が実施されるときは、上記の座標軸が９０度回転されて、その状態で、座標データの生成がなされる（図３（Ｄ）。
【００７６】
図３（Ｄ）にて、座標軸が９０度回転される理由は、印刷が終了したメディア７０をカッティング装置６０にセットする際、ユーザーが、メディア７０を９０度回転させてセットすることから（図３（Ｆ）、図３（Ｇ）参照）、予め、これに対応させる必要があるからである。
【００７７】
図３（Ｃ）に戻って説明を続ける。印刷時において、図３（Ｃ）の内容を示す印刷画像データが、印刷装置５０に送信される（図３（Ｅ））。図３の例では、印刷装置５０として印刷専用機（ここでは、インクジェットプリンタとする）が使用される。
【００７８】
印刷処理が実行されて、印刷済みのメディア７０が印刷装置５０から搬出される（図３（Ｆ））。
【００７９】
ユーザーは、取り出されたメディア７０を９０度右回転させ（図３（Ｇ））、その方向のまま、メディア７０をカッティング装置６０にセットする。上記のとおり、印刷画像の長さＰｌｅｎｇｔｈ＜カッティング可能幅Ｗｃである。よって、長方形のメディア７０が９０度右回転されることで、短手方向が幅方向（主走査方向）となり、カッティング装置６０へのセットが可能となる。
【００８０】
ここで、図３（Ｇ）と、先に説明した図２（Ｃ）とを比較する。メディア７０、印刷データ７４、クロップマーク（Ｇ１ａ〜Ｇ１ｄ、Ｍ）の各方向は、両者一致する。見かけ上、両者は同じであるが、但し、図２（Ｃ）では、印刷データ領域７４が、バンディングが目立ち易い方向に印刷ヘッドが走査されて形成されていたのに対し、図３（Ｇ）では、バンディングが抑制される方向に印刷ヘッドが走査されて形成されて、画質の低下が抑制されている。
【００８１】
なお、ユーザーが、メディア７０をカッティング装置６０にセットするときは、ピンチローラが、帯状マークＭ上、あるいはその近傍になるようにしてセットする。先に説明したように、図３（Ｄ）のカッティング用データ（９０度回転されている）は、適切なタイミングで、カッティング装置６０に送られている。
【００８２】
カッティング装置６０は、クロップマーク（角部マークＧ１ａ〜Ｇ１ｄ）を読み取り、印刷データ領域７４の実サイズを検出し、その領域の内部で、座標データに基づいてカッティング領域７２を規定し、また、帯状マークＭを用いて画像の傾き補正（メディア７０の傾きに、画像を合わせる補正）を行い、その後、カッティングを実施する。
【００８３】
カッティングが完了すると、カッティング後のメディア７０が取り出される（図３（Ｉ））。
【００８４】
このようにして、上記の第１、第２の条件（図１（Ｂ））を満たす場合であっても、画像の品質を低下させずに、カッティングが可能となる。
【００８５】
次に、図４を参照する。図４（Ａ）は、本発明のデータ処理装置の構成例を示す図、図４（Ｂ）は、使用するカッティング装置（カット機）の機種情報をユーザーの入力によって取得する場合の、表示部に示される画面の例を示す図である。
【００８６】
図４（Ａ）に示されるように、データ処理装置１０１は、原画像データ等が入力されるデータインターフェース１０２と、データ蓄積部１０４と、操作部（キーボード３２、マウス３４等）とのインターフェースを提供するユーティリティ１０６と、制御部１１０（条件判定部１１１を備える）と、データ処理部１０８と、表示部２０に関係する処理を管理する表示部管理インターフェース１２２と、通信制御部１２４と、を有する。
【００８７】
データ処理部１０８は、印刷画像データ生成部１０９と、カッティング用データ生成部１１８（回転処理部１２０を備える）と、を有する。
【００８８】
印刷画像データ生成部１０９は、印刷データ生成部（ＲＩＰソフトウエアによる機能ブロックの１つであるＲＩＰ部）１１２と、クロップマーク付与部１１４（帯状マーク位置変更部１１６を備える）と、を有する。
【００８９】
先に説明した第１、第２の条件を満足するか否かの判定は、制御部１１０における条件判定部１１１により行われる。その判定を行うために、印刷処理を実行するときに、使用される印刷装置の機種等の情報の他に、使用されるカッティング装置の機種情報等が必要である。
【００９０】
使用されるカッティング装置の機種情報等は、一例として、ユーザーによる操作部３２、３４の操作によって入力され得る。図４（Ｂ）を参照する。図４（Ｂ）の左側の図では、印刷処理の設定のために、使用する印刷機（印刷装置）の機種を、ユーザーに入力させるための設定画面が示されている。
【００９１】
ここでは、印刷専用機である機種αが入力されるものとする。この場合、制御部１１０は、入力された機種情報から、使用されるのが印刷専用機であることを検出し、表示部管理インターフェース１２２を制御して、図４（Ｂ）の右側の図に示されるような、使用するカッティング機（カッティング装置）の機種を入力させるための設定画面を表示させる。ここでは、カッティング専用機である機種βが選択される。このようにして、ユーザーに、使用するカッティング装置(カッティング機)の情報を入力させることで、確実な情報を違和感なく取得することができる。
【００９２】
入力された機種βの情報（カッティング装置情報ＣＦ）は、ユーティリティ１０６を介して制御部１１０に供給される。
【００９３】
なお、図４（Ａ）、図４（Ｂ）の画面は一例であり、例えば、図４（Ａ）にて、「使用する印刷装置」及び「カッティング装置」の双方の情報を、ユーザーに入力させるようにしてもよい（これがデフォルト設定であってもよい）。
【００９４】
また、カッティング装置情報ＣＦは、印刷装置（例えば印刷専用機）５０から取得することも想定され得る。例えば、印刷装置５０の制御部（不図示）に、予め、使用が予定されるカッティング装置情報ＣＦが設定（記憶）されている場合、あるいは、印刷装置５０が無線通信手段を用いて近隣のカッティング装置６０と通信し、自主的にカッティング装置情報ＣＦを取得する場合がある。この場合は、印刷装置５０からデータ処理装置１０１に、通信線Ｌ１（図１（Ａ）参照）を介してカッティング装置情報ＣＦが送信されることになる。このような方法によれば、ユーザーは、カッティング装置の情報を入力する必要がなく、利便性という観点では有利となる。
【００９５】
なお、印刷装置は印刷専用機である場合が多いと考えられるが、これに限定されるものではなく、特殊な事情がある場合は、専用機ではない場合もあり得る。これはカッティング装置についても同様である。
【００９６】
制御部１１０は、例えば、予め機種α、βについての印刷可能幅、カッティング可能幅等の情報を有している。条件判定部１１１は、取得された機種α、βの情報、及び印刷画像やメディアについての情報に基づき、上記の第１、第２の条件（図１（Ｂ））が成立するか否かを判定する。その判定結果は、データ処理部１０８における印刷画像データ生成部１０９に伝えられる。
【００９７】
印刷画像データ生成部１０９において、印刷データ生成部（ＲＩＰ部）１１２が原画像のラスタライズ等を行って印刷データを生成し、クロップマーク付与部１１４が、印刷データにクロップマークを付与する。
【００９８】
クロップマークとして、角部マーク（図３の例では第１の角部マークＧ１ａ〜第４の角部マークＧ１ｄ）の他に、帯状マークＭが含まれる場合であって、かつ、条件判定部１１１による判定結果が条件成立である場合、特別処理となり、クロップマークの付与に際して、帯状マーク位置変更部１１６によって帯状マークＭの位置の変更が行われる（図３（Ｃ）の例）。条件不成立の場合は、通常処理となり、図２（Ｂ）の例のようなクロップマークの付与が行われる。
【００９９】
このようにして生成された印刷画像データＢＰ１が、通信制御部（ＴＣＰ／ＩＰ）１２４を経由して、印刷装置５０に送信される。なお、通信制御部１２４の仕様は、ＵＳＢまたはＢｌｕｅｔｏｏｔｈでも良い。
【０１００】
また、カッティング処理に際して、カッティング用データ生成部１１８がカッティング用データを生成する。通常処理のときは、回転処理部１２０による座標軸の回転処理は実行されない。特別処理のときは、回転処理部１２０によって、座標軸の９０度の回転処理が実行される。
【０１０１】
このようにして生成されたカッティング用データＢＰ２が、通信制御部（ＴＣＰ／ＩＰ）１２４を経由して、カッティング装置６０に送信される。なお、通信制御部１２４の仕様は、ＵＳＢまたはＢｌｕｅｔｏｏｔｈでも良い。
【０１０２】
なお、カッティング装置６０は、カッティング開始時に、クロップマークセンサによって、メディアに付与されている角部マークＧ１ａ〜Ｇ１ｄを読み取り、読み取られた各マークの座標を求め、求められた各マークの座標から、メディア７０上での印刷データ領域７４の位置を検出し、検出された領域を実サイズのデータ領域として、カッティング用データの座標情報に基づいて、カッティングを開始する。
【０１０３】
次に、図５を参照する。図５は、通常処理とするか、特別処理とするかを判定する判定処理の手順の一例を示すフローチャートである。
【０１０４】
まず、使用する印刷装置の情報を取得する（ステップＳ１）。例えば、印刷装置が専用機である場合には（ステップＳ２でＹ）、続いて、使用するカッティング装置の情報を取得する（ステップＳ３）。ステップＳ２でＮの場合は、ステップＳ４に移行し、通常処理が設定される。
【０１０５】
ステップＳ４に続くステップＳ５では、条件判定処理が実行される。印刷装置の印刷可能幅（印刷可能サイズ）をＷｐ、カッティング装置のカッティング可能幅（カッティング可能サイズ）をＷｃ、印刷画像の長手方向の長さ（画像幅）をＰｗｉｄｔｈ、短手方向の長さ（画像長さ、あるいは画像高さ）をＰｌｅｎｇｔｈとするとき、主走査方向について、Ｗｃ＜Ｐｗｉｄｔｈ＜Ｗｐという第１の条件、副走査方向について、Ｐｌｅｎｇｔｈ＜Ｗｃという第２の条件を満たすかを判定する。
【０１０６】
条件を満たさない場合には（ステップＳ６にてＮ）、ステップＳ４に移行し、通常処理が設定される。ステップＳ６にてＹの場合は、ステップＳ７に移行し、特別処理が設定される。
【０１０７】
次に、図６を参照する。図６は、印刷時における処理の手順の一例を示すフローチャートである。
【０１０８】
ステップＳ１０では、一例として、原画像データのラスタライズ処理による印刷データの生成処理を実行する。
【０１０９】
ステップＳ１１では、クロップマークの付与処理を実行する。ここで、帯状マークは、通常処理設定では、印刷データ領域７４に対して副走査方向側の余白領域の第１の位置（図３（Ｃ）の下側の位置Ｚ１）に形成し、特別処理設定では、付与位置を変更し、印刷データ領域７４に対して主走査方向側の余白領域の第２の位置（図３（Ｃ）の右側の位置Ｚ２）に形成する。
【０１１０】
ステップＳ１２では、印刷画像データを、印刷装置に送信する。
【０１１１】
次に、図７を参照する。図７は、カッティング時における処理の手順の一例を示すフローチャートである。
【０１１２】
ステップＳ２０では、カッティング領域の座標算出処理によるカッティング用データの生成処理を実行する。ここで、特別処理の場合にのみ、座標軸を９０度回転させる処理を実行する。
【０１１３】
ステップＳ２１では、カッティング用データが、カッティング装置に送信される。
【０１１４】
以上説明した各処理は、コンピュータを、図４に示したデータ処理装置１０１として機能させるデータ処理プログラム（ＲＩＰソフトウエア）により実現することができる。ソフトウエアによって機能ブロックを生成して、上記の処理を実行することから、実現が容易であり、コスト面でも有利となる。
【０１１５】
以上説明したように、本発明の実施形態によれば、印刷装置の印刷可能サイズとカッティング装置のカッティング可能サイズとが異なる状況で、印刷画像（メディア）を回転させなければ印刷／カッティングの双方を実施できないようなサイズの画像を出力したい場合においても、本来印刷させたい画像の向きのまま印刷し、かつ、帯状マークを利用した位置補正（傾き補正）を伴うカッティングを実施することができる。よって、ユーザーの利便性が向上する。
【０１１６】
以上、本発明を実施形態を用いて説明したが、本発明はこれに限定されるものではなく、種々、変形、応用が可能である。例えば、本発明は、データ処理装置、印刷装置（プリンタ）、カッティング装置（カッター）が、インターネット等で接続されて構築された場合の印刷／カッティングシステムにおいても適用が可能である。
【０１１７】
また、クロップマークとしての角部マークは、円形ではなく、正方形である場合もあり、また、いわゆるトンボマークと称されるもので代替される場合もある。また、帯状マークは、上記の説明では便宜上、黒帯としているが、これに限定されるものではなく、色は自由に設定され得る。
【０１１８】
本発明は、上述の例示的な実施形態に限定されず、また、当業者は、上述の例示的な実施形態を特許請求の範囲に含まれる範囲まで、容易に変更することができるであろう。
【符号の説明】
【０１１９】
４２、４４・・・フォルダ、１０・・・コンピュータ（ホストコンピュータ）、２０・・・表示部、３２・・・キーボード（操作部あるいは入力部）、３３・・・マウス（操作部あるいは入力部）、５０・・・印刷装置、６０・・・カッティング装置、７０・・・メディア（印刷処理又はカッティング処理の対象となる媒体）、７２・・・カッティング領域、７４・・・印刷データ領域、７６・・・印刷画像（印刷画像領域）、１０１・・・データ処理装置、１０２・・・データインターフェース、１０４・・・データ蓄積部、１０６・・・ユーティリティ、１０８・・・データ処理部、１０９・・・印刷画像データ生成部、１１０・・・制御部、１１１・・・条件判定部、１１２・・・印刷データ生成部（ＲＩＰ部）、１１４・・・クロップマーク付与部、１１６・・・帯状マーク位置変更部、
１１８・・・カッティング用データ生成部、１２０・・・回転処理部、１２２・・・表示部管理インターフェース、１２４・・・通信制御部、Ｇ１ａ〜Ｇ１ｄ・・・クロップマークとしての角部マーク（コーナーマーク）、Ｍ・・・帯状マーク（長方形マーク、黒帯、傾斜補正に関係するクロップマーク）。
【図１】
2020197969.tif 000003
【図２】
2020197969.tif 000004
【図３】
2020197969.tif 000005
【図４】
2020197969.tif 000006
【図５】
2020197969.tif 000007
【図６】
2020197969.tif 000008
【図７】
2020197969.tif 000009